(57)【特許請求の範囲】
【請求項１】
発泡体からなる化粧用パフであって、
中心部から所定の角度間隔で放射状に延びる複数の塗布片部を有し、
前記複数の塗布片部のそれぞれは、所定の肉厚を有する片状に形成され、立設され、その上面に形成された化粧料塗布面を有し、
前記複数の塗布片部の前記化粧料塗布面は、前記中心部の頂部から所定の角度間隔で放射状に延びていることを特徴とする化粧用パフ。
【請求項２】
前記複数の塗布片部のそれぞれは、一対の保持面を有し、
前記複数の塗布片部のそれぞれでは、前記化粧料塗布面を介して、前記一対の保持面が互いに連続していることを特徴とする請求項１に記載の化粧用パフ。
【請求項３】
前記化粧料塗布面は、前記頂部を頂点として下方に向かって傾斜するように延びていることを特徴とする請求項１又は２に記載の化粧用パフ。
【請求項４】
前記化粧料塗布面は、凸曲面状に形成されていることを特徴とする請求項１乃至３のうちいずれか一項に記載の化粧用パフ。
【発明の詳細な説明】
【技術分野】
【０００１】
本発明は、化粧料の塗布に用いる化粧用パフに関する。
【背景技術】
【０００２】
従来、化粧料の塗布に用いる化粧用パフとして、塗布部本体において肉厚部及び肉薄部が設けられたものが知られている（特許文献１参照）。
この化粧用パフでは、化粧料を塗布する対象となる部位に応じて肉厚部と肉薄部とを使い分けることによって、化粧料をより美しく塗布することを可能としている。
【先行技術文献】
【特許文献】
【０００３】
【特許文献１】特開平１１−２０６４４７号公報
【発明の開示】
【発明が解決しようとする課題】
【０００４】
しかしながら、上記従来の化粧用パフでは、化粧料を塗布する作業の効率が低下する恐れがある。
すなわち、一般的に、化粧を行う際には、アイシャドウ、チーク、化粧下地、コントロールカラー、コンシーラー、リキッドファンデーション、パウダーファンデーション等、目的が異なる複数種類の化粧料の塗布が行われる。また、各種類の化粧料を塗布する際に、色彩が異なる複数の化粧料が用いられる場合もある。
したがって、上記従来の化粧用パフでは、種類及び色彩のうち少なくとも一方が異なる複数の化粧料を塗布する場合には、塗布する化粧料ごとに専用の化粧用パフを用意して使い分ける必要がある。そのため、化粧料を塗布する回数・時間を多く取られることとなり、作業の効率が低下する恐れがある。
また、上記従来の化粧用パフでは、顔における凹凸が大きい部位に化粧料を塗布する際に、化粧用パフを指で変形（湾曲）させて曲面を作り、該曲面を用いて化粧料の塗布を行う必要がある。そのため、化粧料を塗布する部位が変わるごとに、化粧料パフを変形させて持ち直す必要があり、作業の効率が低下する恐れがある。
本発明の課題は、化粧料を塗布する作業の効率を向上することにある。
【課題を解決するための手段】
【０００５】
上記課題を解決するために、第一の発明に係る化粧用パフは、発泡体からなる化粧用パフであって、中心部から所定の角度間隔で放射状に延びる複数の塗布片部を有し、前記複数の塗布片部のそれぞれは、所定の肉厚を有する片状に形成され、立設され、その上面に形成された化粧料塗布面を有し、前記複数の塗布片部の前記化粧料塗布面は、前記中心部の頂部から所定の角度間隔で放射状に延びていることを特徴とする。
第一の発明に係る化粧用パフでは、複数の化粧料塗布面が設けられている。これにより、塗布する化粧料に応じて使用する化粧料塗布面を使い分けることで、種類及び色彩のうち少なくとも一方が異なる複数の化粧料を塗布することができる。したがって、一つの化粧用パフによって、種類及び色彩のうち少なくとも一方が異なる複数の化粧料を塗布することが可能となる。
【０００６】
特に、第一の発明に係る化粧用パフでは、複数の化粧料塗布面が、中心部の頂部から放射状に延びるように配設されている。これにより、化粧料の塗布を行う際に、頂部を中心として化粧用パフを回転させて持ち直すことで、複数の化粧料塗布面のうち使用する化粧料塗布面を変更することができる。したがって、簡単な持ち直しによって、種類及び色彩のうち少なくとも一方が異なる複数の化粧料を塗布することが可能となる。
また、第一の発明に係る化粧用パフでは、それぞれに化粧料塗布面が形成された複数の塗布片部が、中心部から放射状に延びるように配設されている。これにより、化粧用パフの持ち易さを向上することができ、また、使用する化粧料塗布面を変更する際の化粧用パフの持ち直しを容易に行うことが可能となる。
よって、第一の発明に係る化粧用パフによれば、化粧料を塗布する作業の効率を向上することが可能となる。
【０００７】
第二の発明に係る化粧用パフは、第一の発明に係る化粧用パフにおいて、前記複数の塗布片部のそれぞれは、一対の保持面を有し、前記複数の塗布片部のそれぞれでは、前記化粧料塗布面を介して、前記一対の保持面が互いに連続していることを特徴とする。
第三の発明に係る化粧用パフは、第一又は第二の発明に係る化粧用パフにおいて、前記化粧料塗布面は、前記頂部を頂点として下方に向かって傾斜するように延びていることを特徴とする。
第三の発明に係る化粧用パフでは、複数の化粧料塗布面のそれぞれが、中心部の頂部を頂点として下方に向かって傾斜するように延びている。これにより、複数の化粧料塗布面において、各化粧料塗布面の向きを互いに異ならせることができる。したがって、複数の化粧料塗布面のうち一の化粧料塗布面を用いて化粧料の塗布を行っている際に、他の化粧料塗布面が邪魔になることを防止することができる。
よって、第三の発明に係る化粧用パフによれば、化粧料を塗布する作業の効率をさらに向上することが可能となる。
【０００８】
第四の発明に係る化粧用パフは、第一乃至第三のうちいずれか一の発明に係る化粧用パフにおいて、前記化粧料塗布面は、凸曲面状に形成されていることを特徴とする。
第四の発明に係る化粧用パフでは、各化粧料塗布面を用いて化粧料を塗布するにあたって、平面を用いて化粧料を塗布する場合と比較して、少ない力で化粧料の塗布を行うことができ、化粧料の塗布をより美しく仕上げることが可能となる。
【発明の効果】
【００１０】
本発明によれば、化粧料を塗布する作業の効率を向上することが可能となる。
【図面の簡単な説明】
【００１１】
【図１】本発明の第一実施形態に係る化粧用パフの平面図である。
【図２】図１に示す化粧用パフの側面図である。
【図３】図１に示すＡ−Ａ線に沿う断面図である。
【図４】図１に示すＢ−Ｂ線に沿う断面図である。
【図５】図２に示すＣ−Ｃ線に沿う断面図である。
【図６】図１に示す化粧用パフの持ち方の一例を示す図である。
【図７】本発明の第二実施形態に係る化粧用パフの平面図である。
【図８】図７に示す化粧用パフの底面図である。
【図９】図７に示す化粧用パフの側面図である。
【図１０】図７に示す化粧用パフの斜視図である。
【図１１】図７に示す化粧用パフの持ち方の一例を示す図である。
【図１２】図１１に示す化粧用パフを他の向きから見た図である。
【図１３】図７に示す化粧用パフの使用方法の一例を示す図である。
【図１４】図７に示す化粧用パフの使用方法の一例を示す図である。
【図１５】図７に示す化粧用パフの使用方法の一例を示す図である。
【発明を実施するための形態】
【００１２】
（第一実施形態）
以下、本発明の第一実施形態に係る化粧用パフ１について、図面を参照しながら説明する。
化粧用パフ１は、アイシャドウ、チーク、化粧下地、コントロールカラー、コンシーラー、リキッドファンデーション、パウダーファンデーション等の化粧料の塗布に用いるものである。
【００１３】
（化粧用パフ１の構成）
図１は、本発明の第一実施形態に係る化粧用パフの平面図である。図２は、図１に示す化粧用パフの側面図である。なお、図２は、図１に示す化粧用パフ１を、図１に示す矢印Ｘの向きに見た図である。図３は、図１に示すＡ−Ａ線に沿う断面図である。図４は、図１に示すＢ−Ｂ線に沿う断面図である。図５は、図２に示すＣ−Ｃ線に沿う断面図である。
化粧用パフ１は、ウレタン、シリコン、ニトリルゴム（ＮＢＲ）、オレフィン系樹脂等の原料の発泡体あるいは多孔質体から形成されている。具体的には、化粧用パフ１は、原料の混練物を発泡型に充填して加熱加圧することにより発泡体を製造して、その後、製造された発泡体について、打ち抜き、研磨、切削等により形状を加工することによって形成される。
【００１４】
図１及び図２に示すように、化粧用パフ１は、中心部１０と、中心部１０から外方に向かって放射状に延びる複数の塗布片部２０とを備えている。本実施形態では、中心部１０と複数の塗布片部２０とは、互いに一体に形成されている。そして、中心部１０は、互いに接続されている複数の塗布片部２０の中心となる部分となっている。
ここで、化粧用パフ１では、後述する化粧料塗布面ｍ（後述するｍ１，ｍ２）の数を増やすために、３つ以上の塗布片部２０が設けられていることが好ましい。本実施形態では、化粧用パフ１において、３つの塗布片部２０が設けられている。
図１に示すように、複数の塗布片部２０は、中心部１０の仮想中心軸ｙを中心として、略等角度間隔で配設されている。なお、仮想中心軸ｙは、仮想の軸であり、上下方向（図２に示す上下方向）に沿って延びている。
【００１５】
図１及び図２に示すように、各塗布片部２０は、所定の肉厚を有する片状（略三角片状）に形成されている。各塗布片部２０は、当該塗布片部２０を保持する際に指が接触する面となる一対の保持面ｐと、化粧料の塗布に用いる面となる化粧料塗布面ｍと、を有している。
図２及び図３に示すように、本実施形態では、各塗布片部２０は、側方から見た形状が略三角形に形成されている。そして、各塗布片部２０は、立設した状態で配置され、一辺側が中心部１０に接続されている。これによって、化粧用パフ１では、それぞれが略三角片状に形成された３つの塗布片部２０が、中心部１０から外方に向かって突出するように設けられている。各塗布片部２０では、略平行に延びる一対の側面のそれぞれが、保持面ｐとなっている。また、各塗布片部２０では、上側の端面が、化粧料塗布面ｍ１となり、下側の端面が、化粧料塗布面ｍ２となっている。
【００１６】
各化粧料塗布面ｍ１，ｍ２は、凸曲面状に形成されている。具体的には、図４に示すように、各化粧料塗布面ｍ１，ｍ２は、仮想中心軸ｙから外方に向かって延びる仮想軸ｚを中心とする円柱面（部分円柱面）となっている。なお、仮想軸ｚは、仮想の軸である。また、各塗布片部２０の先端面２１は、凸球面状（部分球面状）又は凸楕円面状（部分楕円面状）に形成されている。さらに、各保持面ｐは、略平面状に形成されている。
そして、各塗布片部２０では、各化粧料塗布面ｍ１，ｍ２を介して、一対の保持面ｐが滑らかに連続している。また、各塗布片部２０では、凸球面状又は凸楕円面状に形成された先端面２１を介して、一対の保持面ｐ及び両化粧料塗布面ｍ１，ｍ２が滑らかに連続している。なお、化粧用パフ１では、互いに隣り合う面は、全て、曲面を介して連続されており、角部が存在しないように形成されている。
【００１７】
図３及び図５に示すように、中心部１０の上側の頂部の頂面１１及び下側の頂部の頂面１２は、それぞれ、凸球面状（部分球面状）に形成されている。そして、化粧用パフ１では、凸球面状に形成された頂面１１を介して、３つの上側の化粧料塗布面ｍ１が滑らかに連続している。また、化粧用パフ１では、凸球面状に形成された頂面１２を介して、３つの下側の化粧料塗布面ｍ２が滑らかに連続している。さらに、化粧用パフ１では、隣接する塗布片部２０の互いに向かい合う保持面ｐは、凹曲面を介して、滑らかに連続している。
以上により、化粧用パフ１は、上下対称の形状を有している。そして、化粧用パフ１の上面側では、３つの化粧料塗布面ｍ１が、中心部１０の頂面１１（頂部）から外方に向かって放射状に延びるように配設されている。そして、各化粧料塗布面ｍ１は、頂面１１を頂点として、下方に向かって傾斜するように延びている。具体的には、図３に示すように、各化粧料塗布面ｍ１の中心となる仮想軸ｚは、仮想中心軸ｙに対して、所定の角度αで下方に向かって傾斜している。
【００１８】
一方、化粧用パフ１の下面側では、３つの化粧料塗布面ｍ２が、中心部１０の頂面１２（頂部）から外方に向かって放射状に延びるように配設されている。そして、各化粧料塗布面ｍ２は、頂面１２を頂点として、上方に向かって傾斜するように延びている。具体的には、図３に示すように、各化粧料塗布面ｍ２の中心となる仮想軸ｚは、仮想中心軸ｙに対して、所定の角度αで上方に向かって傾斜している。
これにより、図２及び図３に示すように、化粧用パフ１では、中心部１０（仮想中心軸ｙ）において上下方向の寸法が最も大きく、中心部１０から各塗布片部２０の外側の端部に向かうほど上下方向の寸法が小さくなり、各塗布片部２０の先端面２１において上下方向の寸法が最も小さくなっている。また、化粧用パフ１では、上下方向の中央部において水平方向の外径寸法が最も大きく、上下方向の中心部から上側の端部又は下方の端部に向かうほど水平方向の外径寸法が小さくなり、中心部１０の各頂面１１，１２において水平方向の外径寸法が最も小さくなっている。
【００１９】
（化粧用パフ１の使用方法）
次に、化粧用パフ１の使用方法について説明する。
図６は、図１に示す化粧用パフの持ち方の一例を示す図である。
化粧用パフ１を使用して化粧料を塗布する際には、化粧料を塗布する部位に応じて、使用する面を選択する。具体的には、凹凸が大きい部位や細かい部位（鼻周りのくぼみ、目周りのくぼみ、ほう骨の凹凸等）に化粧料を塗布する場合には、化粧用パフ１の各化粧料塗布面ｍ１，２を用いる。ここで、各化粧料塗布面ｍ１，ｍ２を使用して化粧料を塗布する際には、主に、各化粧料塗布面ｍ１，ｍ２の先端部ａ１（図６に示す破線で囲まれた部位）を用いる。この際、各化粧料塗布面ｍ１，ｍ２の先端部から先端面２１にかけての部分を用いても構わない。一方、面積が比較的大きい部位（頬周り等）に化粧料を塗布する場合には、化粧用パフ１の頂面１１，１２を用いる。
そして、各化粧料塗布面ｍ１，ｍ２を使用する際は、複数の化粧料塗布面ｍ１，ｍ２のうちから使用する一の化粧料塗布面ｍ１，ｍ２を選択し、選択した化粧料塗布面ｍ１，ｍ２を使用して化粧料の塗布を行う。
そして、図６に示すように、選択した一の化粧料塗布面ｍ１，ｍ２を外側（化粧料を塗布する部位側）に向けた状態で、隣接する塗布片部２０の間の凹部に指を添えて、化粧用パフ１を保持する。具体的には、３つの凹部のそれぞれに、親指ｆ１、人差指ｆ２及び中指ｆ３のそれぞれを添えて、化粧用パフ１を保持する。
この際、選択した一の化粧料塗布面ｍ１，ｍ２が設けられている塗布片部２０を、親指ｆ１と人差指ｆ２とで摘むように化粧用パフ１を保持する。なお、図６では、化粧料塗布面ｍ１を使用する場合を示している。
そして、使用する化粧料塗布面ｍ１（主に、先端部ａ１）に化粧料を付着させて、当該化粧料塗布面ｍ１に付着された化粧料を対象となる部位に塗布する。
【００２０】
次に、塗布する化粧料を変更する場合には、使用する化粧料塗布面ｍ１を一の化粧料塗布面ｍから他の化粧料塗布面ｍ１に変更する。
これには、中心部１０（仮想中心軸ｙ）を中心として化粧用パフ１を回転させて、一の化粧料塗布面ｍ１が設けられている塗布片部２０に替えて、他の化粧料塗布面ｍ１が設けられている塗布片部２０を親指ｆ１と人差指ｆ２とで摘むように化粧用パフ１を持ち直す。これにより、他の化粧料塗布面ｍ１を用いて化粧料の塗布を行うことが可能となる。
さらに、化粧用パフ１の上面側に設けられた複数の化粧料塗布面ｍ１だけでは足りない場合には、上下が逆転するように化粧用パフ１を回転させて、化粧用パフ１を持ち直す。これにより、下面側の複数の化粧料塗布面ｍ２を使用して化粧料の塗布を行うことが可能となる。
また、面積が比較的大きい部位（頬周り等）に化粧料を塗布する場合には、凸球面状に形成された中心部１０の各頂面１１，１２を使用して、化粧料の塗布を行う。
【００２１】
以上のように、化粧用パフ１には、複数の化粧料塗布面ｍ１，ｍ２が設けられている。これにより、塗布する化粧料に応じて使用する化粧料塗布面ｍ１，ｍ２を使い分けることで、種類及び色彩のうち少なくとも一方が異なる複数の化粧料を塗布することができる。したがって、一つの化粧用パフ１によって、種類及び色彩のうち少なくとも一方が異なる複数の化粧料を塗布することが可能となり、化粧料を塗布する作業の効率を向上することが可能となる。
【００２２】
特に、化粧用パフ１の上面側には、複数の化粧料塗布面ｍ１が、中心部１０の頂面１１（頂部）から放射状に延びるように配設されている。同様に、化粧用パフ１の下面側には、複数の化粧料塗布面ｍ２が、中心部１０の頂面１２（頂部）から放射状に延びるように配設されている。これにより、化粧料の塗布を行う際に、中心部１０（仮想中心軸ｙ）を中心として化粧用パフ１を回転させて持ち直すことで、複数の化粧料塗布面ｍ１，ｍ２のうち使用する化粧料塗布面ｍ１，ｍ２を変更することができる。したがって、簡単な持ち直しによって、種類及び色彩のうち少なくとも一方が異なる複数の化粧料を塗布することが可能となる。
また、化粧用パフ１は、上下対称の形状を有し、上面側及び下面側のそれぞれにおいて、複数の化粧料塗布面ｍ１，ｍ２が放射状に延びるように配設されている。これにより、化粧料の塗布を行う際に、上下を逆転させて化粧用パフ１を持ち直すことで、使用する化粧料塗布面ｍ１，ｍ２を化粧料塗布面ｍ１（または、ｍ２）から化粧料塗布面ｍ２（または、ｍ１）に変更することができる。
【００２３】
また、化粧用パフ１では、それぞれに化粧料塗布面ｍ１，ｍ２が形成された複数の塗布片部２０が、中心部１０から放射状に延びるように配設されている。これにより、化粧用パフ１の持ち易さを向上することができ、また、使用する化粧料塗布面ｍ１，ｍ２を変更する際の化粧用パフ１の持ち直しを容易に行うことが可能となる。この際、各塗布片部２０の一対の保持面ｐのそれぞれが略平面状に形成され、また、隣接する塗布片部２０の互いに向かい合う保持面ｐが凹曲面を介して滑らかに連続されていることによって、化粧用パフ１をさらに持ち易くすることが可能となる。
さらに、化粧用パフ１では、複数の化粧料塗布面ｍ１，ｍ２のそれぞれが、中心部１０の頂部を頂点として下方に向かって傾斜するように延びている。これにより、上面側及び下面側のそれぞれに設けられた複数の化粧料塗布面ｍ１，ｍ２において、各化粧料塗布面ｍ１，ｍ２の向きを互いに異ならせることができる。したがって、複数の化粧料塗布面ｍ１，ｍ２のうち一の化粧料塗布面ｍ１，ｍ２を用いて化粧料の塗布を行っている際に、他の化粧料塗布面ｍ１，ｍ２が邪魔になることを防止することが可能となる。
【００２４】
また、化粧用パフ１では、各化粧料塗布面ｍ１，ｍ２が、凸曲面状に形成されている。特に、本実施形態では、各化粧料塗布面ｍ１，ｍ２が円柱面となっている。これにより、顔における凹凸が大きい部位や細かい部位（鼻周りのくぼみ、目周りのくぼみ、ほう骨の凹凸等）化粧料を塗布する際に、従来の化粧用パフのように指で変形させて曲面を作る必要がなく、スムーズに化粧料を塗布することができる。したがって、各化粧料塗布面ｍ１，ｍ２を用いて化粧料を塗布するにあたって、平面を用いて化粧料を塗布する場合と比較して、少ない力で化粧料の塗布を行うことができ、化粧料の塗布をより美しく仕上げることが可能となる。
さらに、化粧用パフ１では、中心部１０の頂部の頂面１１，１２が、凸球面状に形成されている。これにより、頂面１１，１２を用いて化粧料の塗布を行うことができるとともに、頂面１１，１２を用いて化粧料の塗布を行うにあたって、平面を用いて化粧料を塗布する場合と比較して、少ない力で化粧料の塗布を行うことが可能となる。特に、頂面１１，１２では各化粧料塗布面ｍ１，ｍ２の先端部より広い面積を確保することができ、頂面１１，１２を用いて顔における面積が比較的大きい部位（頬周り等）にチーク等の化粧料をスムーズに塗布することが可能となる。
【００２５】
（第二実施形態）
次に、本発明の第二実施形態に係る化粧用パフ２について、図面を参照しながら説明する。
化粧用パフ２は、アイシャドウ、チーク、化粧下地、コントロールカラー、コンシーラー、リキッドファンデーション、パウダーファンデーション等の化粧料の塗布に用いるものである。
化粧用パフ２の基本構成は、第一実施形態に係る化粧用パフ１と同様となっている。ただし、化粧用パフ２では、上面側のみに化粧料塗布面ｍが形成されている点が、化粧用パフ１と異なっている。
【００２６】
（化粧用パフ２の構成）
図７は、本発明の第二実施形態に係る化粧用パフの平面図である。図８は、図７に示す化粧用パフの底面図である。図９は、図７に示す化粧用パフの側面図である。なお、図９は、図７に示す化粧用パフ２を、図７に示す矢印Ｙの向きに見た図である。図１０は、図７に示す化粧用パフの斜視図である。
化粧用パフ２は、ウレタン、シリコン、ニトリルゴム（ＮＢＲ）、オレフィン系樹脂等の原料の発泡体あるいは多孔質体から形成されている。具体的には、化粧用パフ１は、原料の混練物を発泡型に充填して加熱加圧することにより発泡体を製造して、その後、製造された発泡体について、打ち抜き、研磨、切削等により形状を加工することによって形成される。
【００２７】
図７乃至図１０に示すように、化粧用パフ２は、中心部３０と、中心部３０から外方に向かって放射状に延びる複数の塗布片部４０とを備えている。本実施形態では、中心部３０と複数の塗布片部４０とは、互いに一体に形成されている。そして、中心部３０は、互いに接続されている複数の塗布片部４０の中心となる部分となっている。
ここで、化粧用パフ２では、化粧料塗布面ｍの数を増やすために、３つ以上の塗布片部４０が設けられていることが好ましい。本実施形態では、化粧用パフ２において、３つの塗布片部４０が設けられている。
図７及び図８に示すように、複数の塗布片部４０は、中心部３０の仮想中心軸ｙを中心として、略等角度間隔で配設されている。なお、仮想中心軸ｙは、仮想の軸であり、上下方向（図９に示す上下方向）に沿って延びている。
【００２８】
図７乃至図１０に示すように、各塗布片部４０は、所定の肉厚を有する片状（略三角片状）に形成されている。また、各塗布片部４０の鉛直方向の断面は、略馬蹄形となっている。各塗布片部４０は、当該塗布片部４０を保持する際に指が接触する面となる一対の保持面ｐと、化粧料の塗布に用いる面となる化粧料塗布面ｍと、を有している。
本実施形態では、各塗布片部４０は、側方から見た形状が略三角形に形成されている。そして、各塗布片部４０は、立設した状態で配置され、一辺側が中心部３０に接続されている。これによって、化粧用パフ２では、それぞれが略三角片状に形成された３つの塗布片部４０が、中心部３０から外方に向かって突出するように設けられている。各塗布片部４０では、略平行に延びる一対の側面のそれぞれが、保持面ｐとなっている。また、各塗布片部４０では、上側の端面が、化粧料塗布面ｍとなっている。なお、各塗布片部４０では、下側の端面ｓは、略平面状に形成されている。
【００２９】
各化粧料塗布面ｍは、凸曲面状に形成されている。具体的には、図９及び図１０に示すように、各化粧料塗布面ｍは、仮想中心軸ｙから外方に向かって延びる円柱面（部分円柱面）となっている。また、各保持面ｐは、略平面状に形成されている。
そして、各塗布片部４０では、化粧料塗布面ｍを介して、一対の保持面ｐが滑らかに連続している。また、各塗布片部４０では、化粧料塗布面ｍの先端部（外側の端部）と下側の端面ｓの先端部（外側の端部）とが曲面を介して互いに連続している。なお、化粧用パフ２では、互いに隣り合う面は、全て、曲面を介して連続されており、角部が存在しないように形成されている。
【００３０】
図９及び図１０に示すように、中心部３０の上側の頂部の頂面３１は、凸球面状（部分球面状）に形成されている。そして、化粧用パフ２では、凸球面状に形成された頂面３１を介して、３つの化粧料塗布面ｍが滑らかに連続している。また、化粧用パフ２では、隣接する塗布片部４０の互いに向かい合う保持面ｐは、凹曲面を介して、滑らかに連続している。
以上により、化粧用パフ２の上面側では、３つの化粧料塗布面ｍが、中心部３０の頂面３１（頂部）から外方に向かって放射状に延びるように配設されている。そして、図９に示すように、各化粧料塗布面ｍは、頂面３１を頂点として、下方に向かって傾斜するように延びている。
【００３１】
これにより、図９に示すように、化粧用パフ２では、中心部３０（仮想中心軸ｙ）において上下方向の寸法が最も大きく、中心部３０から各塗布片部４０の外側の端部に向かうほど上下方向の寸法が小さくなり、各塗布片部４０の先端において上下方向の寸法が最も小さくなっている。また、化粧用パフ２では、上下方向の中央部において水平方向の外径寸法が最も大きく、上下方向の中心部から上端部に向かうほど水平方向の外径寸法が小さくなり、中心部３０の頂面３１において水平方向の外径寸法が最も小さくなっている。
【００３２】
（化粧用パフ２の使用方法）
次に、化粧用パフ２の使用方法について説明する。
図１１は、図７に示す化粧用パフの持ち方の一例を示す図である。図１２は、図１１に示す化粧用パフを他の向きから見た図である。なお、図１１は、化粧用パフ２を上方から見た状態を示し、図１２は、化粧用パフ２を側方から見た状態を示している。
図１３は、図７に示す化粧用パフの使用方法の一例を示す図である。図１４は、図７に示す化粧用パフの使用方法の一例を示す図である。図１５は、図７に示す化粧用パフの使用方法の一例を示す図である。なお、図１３は、瞼（アイホール）にアイシャドウを塗布している状態を示し、図１４は、小鼻周りの凹凸部分にファンデーションを塗布している状態を示し、図１５は、頬周りにチークを塗布している状態を示す。
【００３３】
化粧用パフ２を使用して化粧料を塗布する際には、化粧料を塗布する部位に応じて、使用する面を選択する。具体的には、凹凸が大きい部位や細かい部位（鼻周りのくぼみ、目周りのくぼみ、ほう骨の凹凸等）に化粧料を塗布する場合には、化粧用パフ２の各化粧料塗布面ｍを用いる。ここで、各化粧料塗布面ｍを使用して化粧料を塗布する際には、主に、各化粧料塗布面ｍの先端部ａ２（図１１及び図１２に示す破線で囲まれた部位）を用いる。この際、各化粧料塗布面ｍの先端部から端面ｓにかけての部分を用いても構わない。一方、面積が比較的大きい部位（頬周り等）に化粧料を塗布する場合には、化粧用パフ２の頂面３１を用いる。
そして、図１１及び図１２に示すように、頂面３１を外側（化粧料を塗布する部位側）に向けた状態で、隣接する塗布片部４０の間の凹部に指を添えて、化粧用パフ２を保持する。具体的には、３つの凹部のそれぞれに、親指ｆ１、人差指ｆ２及び中指ｆ３のそれぞれを添えて、化粧用パフ２を保持する。
この際、凹凸が大きい部位に化粧料を塗布するために、化粧料塗布面ｍの先端部を使用する場合には、使用する化粧料塗布面ｍが設けられている塗布片部４０を、親指ｆ１と人差指ｆ２とで摘むように化粧用パフ２を保持する。一方、面積が比較的大きい部位に化粧料を塗布するために、頂面３１を使用する場合には、中心部３０の周りを、３本の指ｆ１，ｆ２，ｆ３で摘むように化粧用パフ２を保持する。
そして、図１１及び図１２に示すように、使用する化粧料塗布面ｍ又は頂面３１に化粧料ｃ１〜ｃ４を付着させて、当該化粧料塗布面ｍ又は頂面３１に付着された化粧料ｃ１〜ｃ４を対象となる部位に塗布する。
【００３４】
例えば、図１３に示すように、瞼（アイホール）にアイシャドウｃ１を塗布する場合には、一の化粧料塗布面ｍの先端部ａ２にアイシャドウｃ１を付着させて、該一の化粧料塗布面ｍの先端部ａ２を用いて、瞼に対してアイシャドウｃ１を塗布する。この際、一の化粧料塗布面ｍが設けられている塗布片部４０を親指ｆ１と人差指ｆ２とで摘むように化粧用パフ２を保持する。
また、図１４に示すように、小鼻周りの凹凸部分にファンデーションｃ２を塗布する場合には、他の化粧料塗布面ｍの先端部ａ２にファンデーションｃ２を付着させて、該他の化粧料塗布面ｍの先端部ａ２を用いて、小鼻周りの凹凸部分に対してファンデーションｃ２を塗布する。
【００３５】
ここで、使用する化粧料塗布面ｍを一の化粧料塗布面ｍから他の化粧料塗布面ｍに変更する際には、中心部３０（仮想中心軸ｙ）を中心として化粧用パフ２を回転させて、一の化粧料塗布面ｍが設けられている塗布片部４０に替えて、他の化粧料塗布面ｍが設けられている塗布片部４０を親指ｆ１と人差指ｆ２とで摘むように化粧用パフ２を持ち直す。これにより、他の化粧料塗布面ｍを用いてファンデーションｃ２の塗布を行うことが可能となる。
さらに、図１５に示すように、頬周りにチークｃ４を塗布する場合には、頂面３１にチークｃ４を付着させて、該頂面３１を用いて、頬周りに対してチークｃ４を塗布する。ここで、頂面３１を使用する場合には、化粧用パフ２の持ち直しを行う必要はない。
【００３６】
以上のように、化粧用パフ２には、複数の化粧料塗布面ｍが設けられている。これにより、塗布する化粧料に応じて使用する化粧料塗布面ｍを使い分けることで、種類及び色彩のうち少なくとも一方が異なる複数の化粧料を塗布することができる。したがって、一つの化粧用パフ２によって、種類及び色彩のうち少なくとも一方が異なる複数の化粧料を塗布することが可能となり、化粧料を塗布する作業の効率を向上することが可能となる。
【００３７】
特に、化粧用パフ２の上面側には、複数の化粧料塗布面ｍが、中心部３０の頂面３１（頂部）から放射状に延びるように配設されている。これにより、化粧料の塗布を行う際に、中心部３０（仮想中心軸ｙ）を中心として化粧用パフ２を回転させて持ち直すことで、複数の化粧料塗布面ｍのうち使用する化粧料塗布面ｍを変更することができる。したがって、簡単な持ち直しによって、種類及び色彩のうち少なくとも一方が異なる複数の化粧料を塗布することが可能となる。
【００３８】
また、化粧用パフ２では、それぞれに化粧料塗布面ｍが形成された複数の塗布片部４０が、中心部３０から放射状に延びるように配設されている。これにより、化粧用パフ２の持ち易さを向上することができ、また、使用する化粧料塗布面ｍを変更する際の化粧用パフ２の持ち直しを容易に行うことが可能となる。この際、各塗布片４０の一対の保持面ｐのそれぞれが略平面状に形成され、また、隣接する塗布片部４０の互いに向かい合う保持面ｐが凹曲面を介して滑らかに連続されていることによって、化粧用パフ２をさらに持ち易くすることが可能となる。
さらに、化粧用パフ２では、複数の化粧料塗布面ｍのそれぞれが、中心部３０の頂部を頂点として下方に向かって傾斜するように延びている。これにより、複数の化粧料塗布面ｍにおいて、各化粧料塗布面ｍの向きを互いに異ならせることができる。したがって、複数の化粧料塗布面ｍのうち一の化粧料塗布面ｍを用いて化粧料の塗布を行っている際に、他の化粧料塗布面ｍが邪魔になることを防止することが可能となる。
【００３９】
また、化粧用パフ２では、各化粧料塗布面ｍが、凸曲面状に形成されている。特に、本実施形態では、各化粧料塗布面ｍが円柱面となっている。これにより、顔における凹凸が大きい部位や細かい部位（鼻周りのくぼみ、目周りのくぼみ、ほう骨の凹凸等）に化粧料を塗布する際に、従来の化粧用パフのように指で変形させて曲面を作る必要がなく、スムーズに化粧料を塗布することができる。したがって、各化粧料塗布面ｍを用いて化粧料を塗布するにあたって、平面を用いて化粧料を塗布する場合と比較して、少ない力で化粧料の塗布を行うことができ、化粧料の塗布をより美しく仕上げることが可能となる。
さらに、化粧用パフ２では、中心部３０の頂部の頂面３１が、凸球面状に形成されている。これにより、頂面３１を用いて化粧料の塗布を行うことができるとともに、頂面３１を用いて化粧料の塗布を行うにあたって、平面を用いて化粧料を塗布する場合と比較して、少ない力で化粧料の塗布を行うことが可能となる。特に、頂面３１では各塗布片部４０の先端部より広い面積を確保することができ、頂面３１を用いて顔における面積が比較的大きい部位（頬周り等）にチーク等の化粧料をスムーズに塗布することが可能となる。
【００４０】
（変形例）
以上、本発明の実施形態について説明したが、上記実施形態では、種々の変更を行うことが可能である。
例えば、上記各実施形態では、化粧用パフ１，２において、３つの塗布片部２０，４０が設けられている。しかしながら、化粧料パフ１，２において、４つ以上の塗布片部２０，４０が設けられていても構わない。この場合にも、４つ以上の塗布片部２０，４０は、中心部１０，３０の仮想中心軸ｙを中心として、略等角度間隔で配設されることが好ましい。
また、上記各実施形態では、塗布片部２０，４０が２つだけ設けられていても構わない。この場合には、２つの塗布片部２０，４０において、肉厚、長さ（化粧料塗布面ｍの長さ）及び傾斜角αのうち少なくとも一つを互いに異ならせることが好ましい。
また、上記各実施形態では、複数の塗布片部２０，４０が、互いに同一の構成となっている。しかしながら、複数の塗布片部２０，４０において、形状を互いに異ならせても構わない。例えば、複数の塗布片部２０，４０において、肉厚、長さ（化粧料塗布面ｍの長さ）及び傾斜角αのうち少なくとも一つを互いに異ならせても構わない。
また、上記各実施形態では、複数の塗布片部２０，４０が、中心部１０，３０を中心として略等角度間隔で配設されている。しかしながら、互いに隣り合う塗布片部２０，４０ごとに、角度間隔を異ならせても構わない。
また、上記各実施形態では、各塗布片部２０，４０の各保持面ｐは、平面状に形成されている。しかしながら、各保持面ｐにおいて凹部を設けても構わない。これにより、化粧用パフ１，２をさらに持ち易くすることが可能となる。
また、上記第一実施形態に係る化粧用パフ１は、上下対称の形状を有している。しかしながら、化粧用パフ１は、上下非対称の形状でも構わない。例えば、化粧用パフ１において、上面側の各化粧料塗布面ｍ１の傾斜角αと下面側の各化粧料塗布面ｍ２の傾斜角αとを、互いに異ならせても構わない。また、化粧用パフ１の上面側及び下面側のうち一方にのみ頂面１１，１２を設けても構わない。
さらに、上記第二実施形態に係る化粧用パフ２では、上面側のみに化粧料塗布面ｍが形成されており、下面側を化粧料の塗布に用いない構成となっている。しかしながら、化粧用パフ２において、下面側を用いて化粧料を塗布しても構わない。この場合には、各塗布片部４０の下側の端面ｓを凸曲面状に形成することが好ましい。
【符号の説明】
【００４１】
１              化粧用パフ
２              化粧用パフ
１０            中心部
３０            中心部
１１，１２      頂面
３１            頂面
２０            塗布片部
４０            塗布片部
２１            先端面
ｍ，ｍ１，ｍ２  化粧料塗布面
ｐ              保持面
ｙ              仮想中心軸
ｚ              仮想軸
ａ１            先端部
ａ２            先端部
【図１】
0005977957.tif 000002
【図２】
0005977957.tif 000003
【図３】
0005977957.tif 000004
【図４】
0005977957.tif 000005
【図５】
0005977957.tif 000006
【図６】
0005977957.tif 000007
【図７】
0005977957.tif 000008
【図８】
0005977957.tif 000009
【図９】
0005977957.tif 000010
【図１０】
0005977957.tif 000011
【図１１】
0005977957.tif 000012
【図１２】
0005977957.tif 000013
【図１３】
0005977957.tif 000014
【図１４】
0005977957.tif 000015
【図１５】
0005977957.tif 000016